(57)【要約】 【課題】      使用者がマウスボタンを連続してクリックすることなく、連続性のクリック信号を発生させることのできるマウスボタンの自動切換え機能を有するマウスを提供する。【解決手段】  ハウジングと、前記ハウジングに内設する回路ボードとを含んでなり、かつ切換えユニットと、調整ユニットとを具え、前記切換えユニットと前記調整ユニットは、前記回路ボードに設けられるタッチコントロール周波数制御ユニットに電気的に接続し、かつ前記タッチコントロール周波数制御ユニットを介して前記切換えユニットが選択されたマウスボタンに切換えて連続性のマウス信号を発信し、前記調整ユニットが前記クリック信号の遅延時間を調整するように構成する。【選択図】  図１
2005242974.tif 000002
【特許請求の範囲】
【請求項１】
少なくとも、ハウジングと、このハウジングに内設する回路ボードとを含んでなり、かつ切換えユニットと、調整ユニットとを具え、
前記切換えユニットと前記調整ユニットは、前記回路ボードに設けられるタッチコントロール周波数制御ユニットに電気的に接続し、かつこのタッチコントロール周波数制御ユニットを介して前記切換えユニットが選択されたマウスボタンに切換えて連続性のマウス信号を発信し、前記調整ユニットがクリック信号の遅延時間を調整するように構成することを特徴とする、マウスボタンの自動切換え機能を有するマウス。
【請求項２】
前記ハウジングには、さらに移動手段を内設してなり、かつ前記回路ボードはマウスボタン手段と、移動信号発生ユニットと、マルチプレッサ素子と、タッチコントロール周波数制御ユニットとを含んでなり、
前記マルチプレッサ素子は前記マウスボタン手段と、前記タッチコントロール周波数制御ユニットとに電気的に接続してクリック信号を発生し、
前記移動信号発生ユニットはマルチプレッサユニットに電気的に接続して、移動手段を感知してカーソルを移動させる移動パルス信号を発生するように構成することを特徴とする、請求項１に記載のマウスボタンの自動切換え機能を有するマウス。
【請求項３】
前記切換えユニットと、前記調整ユニットが、前記ハウジングの表面に露出するように設けられることを特徴とする、請求項１に記載のマウスボタンの自動切換え機能を有するマウス。
【請求項４】
前記ハウジングには、前記切換えユニットと前記調整ユニットとに対応する位置にそれぞれ貫通孔を穿設して、前記切換えユニットと前記調整ユニットとを前記ハウジングから露出させることを特徴とする、請求項３に記載のマウスボタンの自動切換え機能を有するマウス。
【請求項５】
前記ハウジングは、前記貫通孔の外周に指示記号を標示することを特徴とする、請求項４に記載のマウスボタンの自動切換え機能を有するマウス。
【発明の詳細な説明】
【技術分野】
【０００１】
この発明は、マウスに関し、特に複数のマウスボタンを具え、その内の１つを選択して間歇性の連続的クリック信号を発生させるマウスボタンの自動切換え機能を有するマウスに関する。
【背景技術】
【０００２】
コンピュータの周辺デバイスとしての入力装置には、キーボード以外にマウスが挙げられる。作業環境がウィンドー化したオペレーションシステムの開発が進み、普及したことによって、マウスは欠かすことのできない入力装置となった。一般のマウスには、半光学式のものと、全光学式のものの二種類がある。半光学式のものは、回動自在に設けたボールの動作によって回折格子エンコーダを駆動し、デコードの作業を経てマウスの移動量と移動方向を感知して、表示装置の画面に表示されるカーソルを移動させる。
【０００３】
光学マウスは、桝目、もしくはラインに投射して、反射するか否かの結果に基づき、或は反射板から反射して戻ってくるマウス・パルスを読み取りカーソルを移動させる。
【０００４】
但し、半光学式であろうと全光学式であろうと、いずれもマウスボタンを押すことによって制御信号を発信してカーソルで所定のコマンドを実行するように指示をする。
【０００５】
最近は、コンピュータによるオンラインゲームが普及し、関連技術も大いに発展している。ゲーム製品の優劣は、ユーザーに対する吸引力に直接影響を与える。ゲーム操作インタフェース、グラフィックインタフェース、ゲーム内容の深さと多様化などは、直接ユーザーが感覚的に感じるものである。また、ユーザー端末とサーバー端末とのデータ交換と処理、ネットワークの伝送速度、遅延処理などは、ユーザーの該ゲーム製品に対する評価の優劣に影響を与える。特に、ユーザーがゲームの操作インタフェースによって操作を行う場合、マウスとキーボードが頻繁に使用されるが、マウスによる操作はキーボードに比して制御がはるかに便利である。例えば、ゲーム進行中、エネルギー補充、もしくはグレードアップの操作を行う場合、所定の時間反復してマウスのボタンを押して信号を発信することがある。これはゲームのルールに基づき、限られた時間内でエネルギーを補給したり、グレードアップしたりする必要があるためである。また、ゲームに登場するキャラクター同士の格闘に係る操作では、相手を制圧するために、短時間内とマウスボタンを押してキャラクターに動作をさせるように信号を送信しなければならない。
【０００６】
但し、マウスでクリックする動作について言えば、マウスボタンを押す動作自体は速度が早くなく、さらにネットワーク通信の信号伝達の遅延も発生する。このため理想的な効果を得ることは難しい。
【発明の開示】
【発明が解決しようとする課題】
【０００７】
この発明は、使用者がマウスボタンを連続してクリックしなくとも、連続性のクリック信号を発生させることのできるマウスを提供することを課題とする。
【課題を解決するための手段】
【０００８】
そこで本発明者は、従来の技術に鑑み鋭意研究を重ねた結果、ハウジングと、このハウジングに内設する切換えユニットと、調整ユニットと、移動手段と、回路ボードを含んでなり、かつ前記回路ボードがマルチプレッサユニットと、マウスボタン手段と、タッチコントロール周波数制御ユニットと、移動信号発生ユニットとを含んでなるマウスの構造と、その製造方法によって課題を解決できる点に着眼し、係る知見に基づき本発明を完成させた。以下、この発明について具体的に説明する。
【０００９】
請求項１に記載のマウスボタンの自動切換え機能を有するマウスは、少なくとも、ハウジングと、このハウジングに内設する回路ボードとを含んでなり、かつ切換えユニットと調整ユニットとを具え、
前記切換えユニットと前記調整ユニットは、前記回路ボードに設けられるタッチコントロール周波数制御ユニットに電気的に接続し、かつ前記タッチコントロール周波数制御ユニットを介して前記切換えユニットが選択されたマウスボタンに切換えて連続性のマウス信号を発信し、前記調整ユニットがクリック信号の遅延時間を調整するように構成する。
【００１０】
請求項２に記載するマウスボタンの自動切換え機能を有するマウスは、請求項１におけるハウジングに、さらに移動手段を内設してなり、かつ前記回路ボードはマウスボタン手段と、移動信号発生ユニットと、マルチプレッサ素子とタッチコントロール周波数制御ユニットとを含んでなり、
前記マルチプレッサ素子は前記マウスボタン手段と、前記タッチコントロール周波数制御ユニットとに電気的に接続してクリック信号を発生し、
前記移動信号発生ユニットは前記マルチプレッサユニットに電気的に接続して、前記移動手段を感知してカーソルを移動させる移動パルス信号を発生するように構成する。
【００１１】
請求項３に記載するマウスボタンの自動切換え機能を有するマウスは、請求項１における切換えユニットと、前記調整ユニットが、前記ハウジングの表面に露出するように設けられる。
【００１２】
請求項４に記載するマウスボタンの自動切換え機能を有するマウスは、請求項３におけるハウジングに、前記切換えユニットと前記調整ユニットとに対応する位置にそれぞれ貫通孔を穿設して、前記切換えユニットと前記調整ユニットとを該ハウジングから露出させる。
【００１３】
請求項５に記載するマウスボタンの自動切換え機能を有するマウスは、請求項４におけるハウジングの前記貫通孔の外周に指示記号を標示する。
【発明の効果】
【００１４】
本発明のマウスボタンの自動切換え機能を有するマウスは、使用者がマウスボタンを連続してクリックすることなく、連続性のクリック信号を発生させることができ、マウスの使用寿命を延長できるとともに、使用者が連続してマウスボタンをクリックすることから発生する傷害を未然に防ぐという利点がある。
【発明を実施するための最良の形態】
【００１５】
この発明は、複数のマウスボタンの１つを選択して間歇性の連続的クリック信号を発生させるマウスを提供するものであって、ハウジングと、このハウジングに内設する切換えユニットと、調整ユニットと移動手段と、回路ボードを含んでなり、かつ前記回路ボードがマルチプレッサユニットと、マウスボタン手段と、タッチコントロール周波数制御ユニットと、移動信号発生ユニットとによって構成する。
【００１６】
係る構成のマウスボタンの自動切換え機能を有するマウスについて、その構造と特徴を詳述するために具体的な実施例を挙げ、以下に説明する。
【実施例】
【００１７】
図１、２、３、４、にこの発明によるマウスボタンの自動切換え構造を開示する。図面によれば、ハウジング（１）と、このハウジング（１）に内設する回路ボード（２）と、切換えユニット（３）と、調整ユニット（４）と、移動手段（５）などを含んでなる。該回路ボード（２）にはマルチプレッサユニット（２１）と、マウスボタン手段（２２）と、タッチコントロール周波数制御ユニット（２３）と、移動信号発生ユニット（２４）と（図５参照）を含んでなる。また、ハウジング（１）には、切換えユニット（３）と、調整ユニット（４）をハウジング（１）の表面に露出させるための貫通孔（１２）（１３）を穿設する。
【００１８】
切換えユニット（３）と、調整ユニット（４）は回路ボード（２）に設けるタッチコントロール周波数制御ユニット（２３）と電気的に接続し、タッチコントロール周波数制御ユニット（２３）を介して切換えユニット（３）が選択されたマウスボタン手段（２２）の内の１つが発信する連続的なクリック信号を制御する。調整ユニット（４）はクリック信号の遅延時間を調整する作用を有する。また、ハウジング（１）は、貫通孔（１２）（１３）の外周に調整ユニット（４）によって遅延速度を調整する際の目安となるように、指示記号（１２１）と（１３１）を設ける。
【００１９】
マルチプレッサユニット（２１）はマウスボタン手段（２２）及びタッチコントロール周波数制御ユニット（２３）と電気的に接続し、タッチコントロール周波数制御ユニット（２３）が起動した場合、マウスボタン手段（２２）が作用しないように構成する。
【００２０】
実施例において、移動手段（５）は半光学式のマウスボール（５１）と、回折格子（５２）とによって構成する。但し、移動手段（５）の形式は、これに限ることなく、例えば全光学式にしてもよい。
【００２１】
移動信号発生ユニット（２４）は、データ処理モジュール（２４１）と光学センサモジュール（２４２）とを含んでなり、マルチプレッサユニット（２１）に電気的に接続し、光学センサモジュール（２４２）によって移動手段（５）の回折格子（５２）の移動を感知する。さらに、データ処理モジュール（２４１）によって計算を実行して移動パルス信号を発生させる。前記クリック信号と、移動パルス信号は入力／出力ポート（２５）からコンピュータ内部に伝送される。
【００２２】
図１、２、５、に開示するように、マルチプレッサユニット（２１）は、マルチプレッサ素子（２１１）を含んでなる。タッチコントロール周波数制御ユニット（２３）は振動モジュールによってなる。マウスボタン手段（２２）を構成する右ボタン（ＳＷ１）と、中ボタン（ＳＷ２）と、左ボタン（ＳＷ３）は、マルチプレッサ素子（２１１）に電気的に接続する。タッチコントロール周波数制御ユニット（２３）は、振動素子（２３１）を含んでなり、この振動素子（２３１）は切換えユニット（３）、及び調整ユニット（４）と電気的に接続する、調整ユニット（４）は調整可能な抵抗であって、切換えユニット（３）の他端はマルチコンプレッサ素子（２１１）に電気的に接続し、切換えユニット（３）が接点をＰ2.2ピンの位置か、もしくはＰ2.0ピンの位置に切換えた場合、マウスボタン手段（２２）が作用しないようにし、タッチコントロール周波数制御ユニット（２３）によって左ボタン（ＳＷ３）か、右ボタン（ＳＷ１）のいずれかから連続性のクリック信号を発信させ、さらに調整ユニット（４）によってインピーダンスの大きさを調整し、信号の周波数の大きさを調整してクリック信号の遅延時間を制御する。よって、連続性のクリック信号を調整することができ、かかる構成によって、クリック信号を自動的に発信することができ、かつマウスの使用寿命を延長させることができるとともに、使用者がマウスボタンを連続してクリックすることから発生する傷害を防ぐ効果を達成することができる。
【００２３】
また、図７に開示するように、実施例における調整ユニット（４）は、多段式の開閉器の形式であってもよい。即ち、複数の異なる数値の抵抗によって異なるインピーダンス（図示しない）の調整を達成し、信号周波数の調整を達成してクリック信号の遅延時間を制御する。かかる方式によって、遅延時間が調整可能な連続性クリック信号を発生させる。
【００２４】
以上はこの発明の好ましい実施例であって、この発明の実施の範囲を限定するものではない。よって、当業者のなし得る修正、もしくは変更であって、この発明の精神の下においてなされ、この発明に対して均等の効果を有するものは、いずれも本発明の特許請求の範囲に属するものとする。
【図面の簡単な説明】
【００２５】
【図１】この発明によるマウスの構造を示した説明図である。
【図２】図１に開示するマウスの斜視図である。
【図３】図１に開示するマウスの底面側から見た斜視図である。
【図４】図１に開示するマウスの背面図である。
【図５】この発明によるマウスの回路の構成を表すブロック図である。
【図６】この発明によるマウスの回路図である。
【図７】他の実施形態によるマウスの構造を示した説明図である。
【符号の説明】
【００２６】
１  ハウジング
１２  貫通孔
１２１  指示記号
１３  貫通孔
１３１  指示記号
２  回路ボード
２１  マルチプレッサユニット
２１１  マルチプレッサ素子
２２  マウスボタン手段
２３  タッチコントロール周波数制御ユニット
２３１  振動素子
２４  移動信号発生ユニット
２４１  データ処理モジュール
２４２  光学センサモジュール
２５  入力／出力ポート
３  切換えユニット    
４  調整ユニット    
５  移動手段
５１  マウスボール
５２  回折格子
ＳＷ１  右ボタン
ＳＷ２  中ボタン
ＳＷ３  左ボタン
【図１】
2005242974.tif 000003
【図２】
2005242974.tif 000004
【図３】
2005242974.tif 000005
【図４】
2005242974.tif 000006
【図５】
2005242974.tif 000007
【図６】
2005242974.tif 000008
【図７】
2005242974.tif 000009